(57)【特許請求の範囲】
【請求項１】
電力を横方向に分配する分配器軌条（３）であって、導体レール片（８）を有する隣接して横方向に並べて配置された多数の導体接続部（５，７）を備えている形式のものにおいて、
隣接する導体接続部（５，７）が、導体レール片（８）に設けられたソケットコンタクト（９）と差込み舌片（１０）により互いに接触接続されており、複数の互いに平行に配置された分配器軌条（３）の、同一端部で外側に位置する少なくとも２つの導体接続部（５，７）が、外端部側に向けて方向付けられた差込み舌片（１０）を有しており、電気的なコンタクトブリッジ（１２，１２’）を備えたブリッジ部材（１１，１１’）が設けられていて、コンタクトブリッジ（１２，１２’）が、結合レール（１３，１３’）及び少なくとも２つのコンタクトばね脚を有しており、このコンタクトばね脚は、両差込み舌片（１０）と差込み接続可能な１対のばね片（１４，１５）から成り、結合レール（１３，１３’）の端部において、対となるばね片（１４，１５）の一方が折り曲げられていることを特徴とする、電力を横方向に分配する分配器軌条。
【請求項２】
コンタクトばね脚のばね片（１４，１５）が、結合レール（１３，１３’）から下向きに延びていて、ばね片（１４，１５）の間に、差込みコンタクトスリット（１６）が形成されている、請求項１記載の分配器軌条。
【請求項３】
電気的なコンタクトブリッジ（１２，１２’）の端部が分配器軌条（３）のパターン寸法で折り曲げられている、請求項１又は２記載の分配器軌条。
【請求項４】
端部側のコンタクトばね脚（１４，１５）間でコンタクトブリッジ（１２’）の結合レール（１３’）に、別のコンタクトばね脚（１５）が設けられている、請求項１から３までのいずれか１項記載の分配器軌条。
【請求項５】
ブリッジ部材（１１）が絶縁性のプラスチックから成るケーシングシェル（１７）を有していて、このケーシングシェルが分配器軌条（３）の外側に位置する導体接続部（５）のケーシング（６）の側方の接続片に掛止可能である、請求項１から３までのいずれか１項記載の分配器軌条。
【請求項６】
電気的なコンタクトブリッジ（１２）が掛止手段によってケーシングシェル（１７）内に固定されている、請求項５記載の分配器軌条。
【請求項７】
分配器軌条（３）において電力を横方向で分配するために導体接続部（７）の導体レール片（８）の側方にそれぞれ一方の側でソケットコンタクト（９）がかつ他方の側で差込み舌片（１０）が設けられていて、この場合、分配器軌条（３）を形成するため整列させた場合に差込み舌片（１０）が隣接する導体接続部（５）のソケットコンタクト（９）内に差込まれて接触接続され、かつ、ブリッジ部材（１１，１１’）の電気的なコンタクトブリッジ（１２，１２’）のコンタクトばね脚（１４，１５）が両分配器軌条（３）の外側に位置する両導体接続部（５）の自由な差込み舌片（１０）に被せ嵌め可能である、請求項１から６までのいずれか１項記載の分配器軌条。
【発明の詳細な説明】
【０００１】
【発明の属する技術分野】
本発明は、電力を横方向に分配する分配器軌条であって、導体レール片を有する隣接して横方向に並べて配置された多数の導体接続部を備えている形式のものに関する。
【０００２】
【従来の技術】
このような分配器軌条は、例えば電圧源、信号受信器、イニシエータ、アクチュエータ及びフィールド機器のような電気的な構成部材を給電技術的に及び制御技術的に結合するのに使用される。ヨーロッパ特許公開第０２２２０３０号明細書から公知のように、分配器軌条は例えばイニシエータ端子ブロックを構成するために使用され、また、分配器軌条はしばしばモジュール構造の制御装置内でも使用される。
【０００３】
ブリッジエレメントに関する多数の解決策が公知であり、この場合、分配器軌条の整列方向内で導体接続部を接続するために、分配器軌条間で電位を整列方向で継送するのに適した装置が使用される。このようないわゆる横方向分配手段は例えば、ドイツ国特許公開第４３２２５３５号及び第３０４８４９７号明細書並びにドイツ国特許明細書の翻訳文第６８９１２０４０号から公知である。
【０００４】
これら全ての解決策では横方向分配は１分配器軌条内部でのみ行われ、この場合接続個所において、接続される構成部材の接続状態に基づき規定された電位が必要である。この場合、電位の横方向分配は１分配器軌条内でのみ行われ、この場合、接続エレメントのみが整列方向で互いに接続される。
【０００５】
【発明が解決しようとする課題】
本発明の課題は、互いに隣接して配置された分配器軌条を、確実かつ簡単に少なくとも区分毎に同じ電位にもたらすことができるようにすることにある。
【０００６】
【課題を解決するための手段】
前記課題は本発明によれば、隣接する導体接続部が、導体レール片に設けられたソケットコンタクトと差込み舌片により互いに接触接続されており、複数の互いに平行に配置された分配器軌条の、同一端部で外側に位置する少なくとも２つの導体接続部が、外端部側に向けて方向付けられた差込み舌片を有しており、電気的なコンタクトブリッジを備えたブリッジ部材が設けられていて、コンタクトブリッジが、結合レール及び少なくとも２つのコンタクトばね脚を有しており、このコンタクトばね脚は、両差込み舌片と差込み接続可能な１対のばね片から成り、結合レールの端部において、対となるばね片の一方が折り曲げられていることによって解決された。
【０００７】
【発明の効果】
このような本発明の構成に基づき、例えばプラス電位を案内する第１の分配器軌条からこのプラス電位をブリッジ部材を介して平行に配置された分配器軌条に案内することができ、次いでこの分配器軌条は前記プラス電位を所定の極数まで案内しかつ連続的にマイナス電位を案内することができる。このようにして極めて大型の複雑なモジュール構造の制御装置を特にスペースを節約してしかもフレキシブルに配線することができる。
【０００８】
この場合、コンタクトばね脚を備えた電気的なブリッジコンタクトの構成によって、１つの分配器軌条端部から平行に配置された分配器軌条に電位を橋絡して移送する場合に高いコンタクト力を生ぜしめることができる。
【０００９】
別の構成では、ブリッジ部材は絶縁性のプラスチックから成るケーシングシェルを有していて、このケーシングシェルは外側に位置する接続部のケーシングの側方の接続片に掛止可能である。これによって、ブリッジ部材の操作並びに作業員の絶縁防護作用が保証される。
【００１０】
分配器軌条は通常側方の掛止手段によって組み合わされた個々のエレメントから構成されるので、ブリッジ部材のケーシングのためにケーシングの外端部で適当な掛止エレメントが使用される。機械的な掛止手段によってブリッジ部材は分配器軌条端部に十分確実に保持されるので、分配器軌条の相応の空間位置において振動負荷又は重力負荷を受けた場合でも電気的な接触接続が保証される。
【００１１】
本発明の別の有利な構成では、電力を横方向分配するために導体接続部の導体レール片の側方にそれぞれ一方の側でソケットコンタクトがかつ他方の側で隣接するソケットコンタクト内に差込み可能な差込み舌片が設けられている。ブリッジ部材のコンタクトブリッジは両分配器軌条の外側に位置する両接続部の自由な差込み舌片に被せられる。従って、特別な横方向分配端子板又は横方向分配条片を用いずに足る分配器軌条の極めて有利な構成においては、特に有利には、両分配器軌条の外側に位置する接続部のいずれにせよ設けられる自由な両差込み舌片がブリッジのために使用される。
【００１２】
【発明の実施の形態】
第１図では、例えばモデュール構造の制御装置の、多数の接続ディスク１から構成された接続ブロックの２つの接続ディスクを図示しており、この場合、接続ブロックの接続ディスク１は、例えば一平面内で信号導体接続部２によって電子制御機構（図示せず）に接続されている。接続ディスクの別の範囲では互いに平行に配置された２つの分配器軌条３が接続ディスクの適当な受容部４内に設けられている。
【００１３】
この分配器軌条３はイニシエータ、アクチュエータ、磁界発生器等を給電するのに用いられる。この場合、分配器軌条自体は同様に有利には個々の接続部５から構成されていて、この接続部は、組み合わされて分配器軌条３を成す個々のケーシング６を有している。
【００１４】
この場合図示の実施例では、導体接続部５，７が導体レール片８を含んでおり、前記導体レール片は電力を横方向で分配するために特別な構成を有している、つまり、導体レール片８の一方の側にそれぞれソケットコンタクト９が設けられかつこれとは反対の他方の側に差込み舌片１０が設けられるように構成されている。
【００１５】
この場合、個々のエレメントを組み合わせて分配器軌条３を構成する場合にそれぞれ１つの差込み舌片１０が隣接する個々の接続部５のソケットコンタクト９内に突入して接触接続されるような、配置形式が採られている。このようにして、特別な横方向結合組立て等を行うことなしに、分配器軌条３を組み立てる際に自動的に電気的な横方向分配手段が構成される。
【００１６】
分配器軌条３の外側に位置する相応の端部には、つまり本実施例では、互いに平行に配置された２つの分配器軌条の外側に位置する両接続部５に、外向きに端部側に向けて方向付けられた突出した差込み舌片１０が設けられていて、この差込み舌片は以下に詳述するようにブリッジ部材を使用するのに用いられ、この場合、一方の分配器軌条の電位、例えばプラス電位がこのようなブリッジ部材を介して平行に位置する分配器軌条にもたらされる。このことは図面では両プラス矢印で示されている。この両プラス矢印は同時に、このような分配器軌条が多数の個々の接続部から構成できることを暗示している。
【００１７】
基本的には特に有利な上記実施例とは異なって、異なって構成された分配器軌条において分配器軌条の一端で外側に位置する両接続部に外端部側に向けて方向付けられた差込みコンタクト部材を設けることもできる。
【００１８】
両分配器軌条端部の電位移送のために本発明により設けられたブリッジ部材１１はコンタクトブリッジ１２を有していて、このコンタクトブリッジ１２は有利には上側の結合レール１３とこの結合レール１３から下向きに延びるばね片１４，１５とから構成されていて、このばね片１４，１５はそれぞればね片間で差込みコンタクトスリット１６を形成しかつそれぞれ対でコンタクトばね脚を成している。このコンタクトばね脚は、図示の実施例では、両分配器軌条の外側に位置する接続部５の自由な両差込み舌片１０に被せられてこれに接触接続される。
【００１９】
この場合有利な構成では、結合レールの両端部は分配器軌条内部のパターンに相応してある程度折り曲げられる。この場合両コンタクトばね脚の一方のばね片１４も折り曲げられる。これによって、一方では分配器軌条全体のパターン寸法内での配置が可能になり、かつ、他方ではコンタクト内部で導電性の勝れた電流移送横断面が得られる。
【００２０】
更に、ばね片間の差込みコンタクトスリット内に差込み舌片１０を進入させる進入区分に挿入斜面又は挿入ホッパを設け、このようにして差込み舌片へのコンタクトブリッジ１２の被せ嵌めを容易にするために、十分なスペースが与えられる。
【００２１】
縦長のばね片としての構成に基づき、このようなばね片から構成されたコンタクトばね脚によって、十分なコンタクト力をもたらす十分なばね力が得られる。
【００２２】
更にブリッジ部材１１はケーシングシェル１７を有していて、このケーシングシェルは絶縁性のプラスチックから成りかつ接触防止手段及び操作手段として用いられる。有利にはコンタクトブリッジ１２はルーズにケーシングシェル内に挿入されるが、ケーシングシェル内で掛止手段によって固持される。
【００２３】
更に、ケーシングシェル１７は、分配器軌条端部にブリッジ部材全体を特に機械的に安定的に取り付けるためにひいては分配器軌条及びブリッジ部材の相応の空間位置において電気的なコンタクトを振動負荷及び重力負荷から防護するために、役立つ。
【００２４】
分配器軌条３の冒頭に述べた基本構造において、分配器軌条内部で整列させるために、個々の接続部５の個々のケーシング６の一方の側に、多数の、有利には４つの掛止ピン１８が設けられている。これとは反対の個々のケーシング６側には対応する掛止切欠きが設けられている。ブリッジ部材１１のケーシングシェル１７内には対応する個所で適当な切欠き１９が設けられているので、有利には設けられた掛止ピン１８はブリッジ部材１１を機械的に確実に掛止及び固持するのに用いられる。
【００２５】
前述の２極の横方向分配手段とは異なって、同じ基本構造の多極のブリッジ部材を有する多極の分配手段も有利である。このような多極のブリッジ部材１１’は第２図で図示されている。コンタクトブリッジ１２’は延長された結合レール１３’を有している。端部にはばね片が設けられていて、これらばね片の一方が折り曲げられている。中央範囲には適当に横方向で橋絡するために多数のばね片対が設けられている。
【図面の簡単な説明】
【図１】モジュール構造の制御装置の接続ディスクから成る接続ブロックの当該端部の斜視図であって、この場合、接続ブロックの互いに平行に配置された２つの分配器軌条の電位橋絡形式を示している。
【図２】本発明による別のブリッジ部材を示した図。
【符号の説明】
１  接続ディスク
２  信号導体接続部
３  分配器軌条
４  受容部
５  接続部
６  ケーシング
７  導体接続部
８  導体レール片
９  ソケットコンタクト
１０  差込み舌片
１１，１１’  ブリッジ部材
１２，１２’  コンタクトブリッジ
１３，１３’  結合レール
１４，１５  ばね片
１６  差込みコンタクトスリット
１７  ケーシングシェル
１８  掛止ピン
１９  掛止切欠き
【図１】
0004046781.tif 000002
【図２】
0004046781.tif 000003